(57)【要約】【課題】取っ手が温水装置の筐体の側面に設けられる場合に適した温水装置の梱包構造を提供する。【解決手段】本発明の一態様に係る温水装置の梱包構造は、温水装置と、温水装置を梱包するための梱包部材とを備える。温水装置は、天板と、天板と対向する底板と、天板及び底板に連なる第１側板とを含む筐体と、第１側板に取り付けられた取っ手とを有する。梱包部材は、上面と、上面の反対面である底面と、上面及び底面に連なる側面とを含む底梱包部材を少なくとも有する。取っ手は、底梱包部材が温水装置に取り付けられた状態において、上面よりも下面側に位置するように取り付けられる。上面には、第１凹部と、第２凹部とが設けられる。梱包部材は、筐体の底板側が第１凹部に挿入されるとともに、取っ手が第２凹部に挿入されることにより温水装置に取り付けられる。取っ手は、空間が取っ手の周囲に存在するように第２凹部に挿入される。【選択図】図１
2019127305.tif 000002
【特許請求の範囲】
【請求項１】
天板と、前記天板と対向する底板と、前記天板及び前記底板に連なる第１側板とを含む筐体と、前記第１側板に取り付けられた取っ手とを有する温水装置と、
前記温水装置を梱包するための梱包部材とを備え、
前記梱包部材は、上面と、前記上面の反対面である底面と、前記上面及び前記底面に連なる側面とを含む底梱包部材を少なくとも有し、
前記取っ手は、前記底梱包部材が前記温水装置に取り付けられた状態において、前記上面よりも前記底面側に位置するように取り付けられ、
前記上面には、第１凹部と、第２凹部とが設けられ、
前記底梱包部材は、前記筐体の前記底板側が前記第１凹部に挿入されるとともに前記取っ手が前記第２凹部に挿入されることにより前記温水装置に取り付けられ、
前記取っ手は、空間が前記取っ手の周囲に存在するように前記第２凹部に挿入される、温水装置の梱包構造。
【請求項２】
前記底梱包部材は、前記第１凹部及び前記第２凹部が設けられた緩衝部材と、前記緩衝部材を覆うように配置される外装部材とにより構成される、請求項１に記載の温水装置の梱包構造。
【請求項３】
前記温水装置は、固定部材をさらに有し、
前記取っ手は、前記固定部材により前記第１側板に着脱可能に取り付けられ、
前記第２凹部は、前記第１側板に対向する前記側面に達するように前記第１凹部から延在する、請求項１又は請求項２に記載の温水装置の梱包構造。
【請求項４】
前記温水装置は、固定部材をさらに有し、
前記取っ手は、前記固定部材により前記第１側板に着脱可能に取り付けられ、
前記筐体は、前記取っ手を前記筐体から取り外すことにより、前記固定部材で前記筐体を載置するための取り付け台に取り付け可能に構成される、請求項１又は請求項２に記載の温水装置の梱包構造。
【請求項５】
前記筐体は、前記第１側板に連なる第２側板をさらに含み、
前記第２側板の幅は、前記第１側板の幅以上である、請求項１〜請求項４のいずれか１項に記載の温水装置の梱包構造。
【請求項６】
前記筐体は、前記第１側板に対向し、かつ、前記筐体から取り外し可能な第３側板をさらに含む、請求項１〜請求項５のいずれか１項に記載の温水装置の梱包構造。
【発明の詳細な説明】
【技術分野】
【０００１】
本発明は、温水装置の梱包構造に関する。
【背景技術】
【０００２】
従来から、特許文献１（特開昭５７−７７４７３号公報）に記載の梱包構造が知られている。特許文献１に記載の梱包構造は、温水装置と、梱包材とを有している。温水装置の筐体の上面には、梱包材を取り付けるための座が設けられている。この座は、梱包装置を取り外した後に、運搬用の把手として用いられる。
【先行技術文献】
【特許文献】
【０００３】
【特許文献１】特開昭５７−７７４７３号公報
【発明の概要】
【発明が解決しようとする課題】
【０００４】
しかしながら、特許文献１に記載の梱包構造においては、梱包材を取り付けるための座は温水装置の筐体の上面に設けられているため、このような座が温水装置の側面に設けられる場合にどのような梱包材が適切かは、明らかではない。
【０００５】
本発明は、上記のような従来技術の問題点に鑑みてなされたものである。より具体的には、本発明は、取っ手が温水装置の筐体の側面に設けられる場合に適した温水装置の梱包構造を提供する。
【課題を解決するための手段】
【０００６】
本発明の一態様に係る温水装置の梱包構造は、温水装置と、温水装置を梱包するための梱包部材とを備える。温水装置は、天板と、天板と対向する底板と、天板及び底板に連なる第１側板とを含む筐体と、第１側板に取り付けられた取っ手とを有する。梱包部材は、上面と、上面の反対面である底面と、上面及び底面に連なる側面とを含む底梱包部材を少なくとも有する。取っ手は、底梱包部材が温水装置に取り付けられた状態において、上面よりも下面側に位置するように取り付けられる。上面には、第１凹部と、第２凹部とが設けられる。梱包部材は、筐体の底板側が第１凹部に挿入されるとともに、取っ手が第２凹部に挿入されることにより温水装置に取り付けられる。取っ手は、空間が取っ手の周囲に存在するように第２凹部に挿入される。
【０００７】
上記の温水装置の梱包構造において、底梱包部材は、第１凹部及び第２凹部が設けられた緩衝部材と緩衝部材を覆うように配置される外装部材とにより構成されていてもよい。
【０００８】
上記の温水装置の梱包構造において、温水装置は、固定部材を有していてもよい。取っ手は、固定部材により第１側板に着脱可能に取り付けられていてもよい。第２凹部は、第１側板に対向する側面に達するように第１凹部から延在していてもよい。
【０００９】
上記の温水装置の梱包構造において、筐体は、取っ手を筐体から取り外すことにより、固定部材で筐体を載置するための取り付け台に取り付け可能に構成されていてもよい。
【００１０】
上記の温水装置の梱包構造において、筐体は、第１側板に連なる第２側板を含んでいてもよい。第２側板の幅は、第１側板の幅以上であってもよい。
【００１１】
上記の温水装置の梱包構造において、筐体は、第１側板に対向し、かつ、筐体から取り外し可能な第３側板を含んでいてもよい。
【発明の効果】
【００１２】
上記によると、取っ手が温水装置の筐体の側面に設けられる場合に適した梱包構造を得ることが可能になる。
【図面の簡単な説明】
【００１３】
【図１】実施形態に係る温水装置の梱包構造の分解斜視図である。
【図２】底梱包部材１の正面図である。
【図３】底梱包部材１の側面図である。
【図４】底梱包部材１の上面図である。
【図５】図４のＶ−Ｖにおける断面図である。
【図６】温水装置２の正面図である。
【図７】温水装置２の側面図である。
【図８】温水装置２の上面図である。
【図９】図８のＩＸ−ＩＸにおける断面図である。
【図１０】温水装置２の模式図である。
【図１１】取り付け台５に取り付けられた状態の温水装置２の斜視図である。
【発明を実施するための形態】
【００１４】
実施形態に係る温水装置の梱包構造を、図面を参照して説明する。なお、以下の図面においては、同一又は相当する部分に同一の参照符号を付し、重複する説明は繰り返さないものとする。
【００１５】
（実施形態に係る温水装置の梱包構造の構成）
以下に、実施形態に係る温水装置の梱包構造の構成を説明する。
【００１６】
図１に示すように、実施形態に係る温水装置の梱包構造は、梱包部材と、温水装置２とを有している。この梱包部材は、温水装置２を梱包するための部材である。この梱包部材は、少なくとも底梱包部材１を有している。なお、この梱包部材は、底梱包部材１に加えて、温水装置２の側板（側板２１ｄないし側板２１ｆ）を覆う梱包部材（図示せず）、温水装置２の天板２１ａを覆う梱包部材（図示せず）をさらに含んでいてもよい。
【００１７】
図２、図３及び図４に示すように、底梱包部材１は、上面１ａと、底面１ｂと、側面１ｃと、側面１ｄと、側面１ｅと、側面１ｆとを有している。底面１ｂは、上面１ａの反対面である。側面１ｃ、側面１ｄ、側面１ｅ及び側面１ｆは、上面１ａ及び底面１ｂに連なっている。
【００１８】
側面１ｃと側面１ｅとは互いに対向しており、側面１ｄと側面１ｆとは互いに対向している。例えば、側面１ｃと側面１ｅとは互いに平行になっており、側面１ｄと側面１ｆとは互いに平行になっている。側面１ｃは、側面１ｄ及び側面１ｆに連なっており、側面１ｅは、側面１ｄ及び側面１ｆに連なっている。
【００１９】
上面１ａには、第１凹部１ｇと、第２凹部１ｈとが設けられている。第１凹部１ｇ及び第２凹部１ｈにおいて、上面１ａは、底面１ｂに向かって凹んでいる。第１凹部１ｇは、上面視（上面１ａに直交する方向からみて）において、上面１ａの中央付近に配置されている。
【００２０】
第２凹部１ｈは、第１凹部１ｇに隣接して配置されている。第２凹部１ｈは、第１凹部１ｇから側面１ｃに向かって延在している。第２凹部１ｈは、側面１ｃに達するように延在していることが好ましい。このことを別の観点からいえば、側面１ｃには、切欠き１ｃａが設けられていてもよい。切欠き１ｃａは、上面１ａから底面１ｂに向かって延在している。
【００２１】
底梱包部材１は、緩衝部材１１と、外装部材１２とにより構成されていることが好ましい。緩衝部材１１は、緩衝作用のある部材であればよい。緩衝部材１１は、例えば段ボールを組み立てることにより形成してもよい。緩衝部材１１は、発泡スチロール等の発泡体により形成されていてもよい。緩衝部材１１には、第１凹部１ｇ及び第２凹部１ｈが設けられている。
【００２２】
外装部材１２は、緩衝部材１１を覆うように配置されている。より詳細には、図５に示すように、外装部材１２は、緩衝部材１１の側面及び底面を覆うように配置されている。緩衝部材１１は、例えば段ボールにより形成されている。
【００２３】
図６、図７及び図８に示すように、温水装置２は、筐体２１と、取っ手２２と、固定部材２３とを有している。筐体２１は、天板２１ａと、底板２１ｂと、側板２１ｃと、側板２１ｄと、側板２１ｅと、側板２１ｆとを有している。底板２１ｂは、天板２１ａと対向している。側板２１ｃ、側板２１ｄ、側板２１ｅ及び側板２１ｆは、天板２１ａ及び底板２１ｂに連なっている。
【００２４】
側板２１ｃと側板２１ｅとは互いに対向しており、側板２１ｄと側板２１ｆとは互いに対向している。側板２１ｃと側板２１ｅとは互いに平行になっており、側板２１ｄと側板２１ｆとは互いに平行になっている。側板２１ｃは、側板２１ｄ及び側板２１ｆに連なっており、側板２１ｅは、側板２１ｄ及び側板２１ｆに連なっている。
【００２５】
側板２１ｃ及び側板２１ｅは、幅Ｗ１を有している。側板２１ｄ及び側板２１ｆは、幅Ｗ２を有している。幅Ｗ２は、幅Ｗ１以上である。幅Ｗ２は、幅Ｗ１よりも大きいことが好ましい。
【００２６】
側板２１ｅは、筐体２１から取り外し可能であることが好ましい。側板２１ｃは、筐体２１から取り外し不能となっていることが好ましい。
【００２７】
図９に示すように、側板２１ｃには、貫通孔２１ｃａが設けられている。貫通孔２１ｃａは、側板２１ｃを厚さ方向に貫通している。図示していないが、側板２１ｅには、排気口が設けられている。
【００２８】
図１０に示すように、温水装置２は、給湯経路３１と、風呂循環経路３２と、注湯経路３３とを有している。給湯経路３１は、上水を加熱する経路である。給湯経路３１は、配管３１ａと、配管３１ｂと、熱交換器３１ｃとを有している。配管３１ａの一方端は、上水道に接続されている。配管３１ａの他方端は、熱交換器３１ｃに接続されている。熱交換器３１ｃの他方端は、配管３１ｂの一方端に接続されている。配管３１ｂの他方端は、カランに接続されている。熱交換器３１ｃの近傍には、バーナ３１ｄが配置されている。
【００２９】
風呂循環経路３２は、浴槽４の湯水を加熱する経路である。風呂循環経路３２は、配管３２ａと、配管３２ｂと、熱交換器３２ｃとを有している。配管３２ａの一方端は、循環アダプタ４１に接続されている。配管３２ａの他方端は、熱交換器３２ｃに接続されている。配管３２ｂの一方端は、熱交換器３２ｃに接続されている。配管３２ｂの他方端は、循環アダプタ４１に接続されている。熱交換器３２ｃの近傍には、バーナ３２ｄが配置されている。なお、配管３２ａ上には、循環ポンプ３２ｅが設けられている。
【００３０】
注湯経路３３は、給湯経路３１から風呂循環経路３２に湯水を流入させる経路である。注湯経路３３は、配管３３ａと、注湯弁３３ｂとを有している。配管３３ａの一方端は、給湯経路３１に接続されている。より具体的には、配管３３ａの一方端は、配管３１ｂに接続されている。配管３３ａの他方端は、風呂循環経路３２に接続されている。より具体的には、配管３３ａの他方端は、配管３２ａに接続されている。注湯弁３３ｂは、配管３３ａの経路上に設けられている。
【００３１】
熱交換器３１ｃ、バーナ３１ｄ、熱交換器３２ｃ、バーナ３２ｄ、循環ポンプ３２ｅ及び注湯弁３３ｂは、筐体２１の内部に収納されている。バーナ３１ｄ及びバーナ３２ｄからの排気は、側板２１ｅに設けられた排気口を介して筐体２１の外部に排出される。配管３１ａ、配管３１ｂ、配管３２ａ、配管３２ｂ及び配管３３ａの少なくとも一部は、筐体２１の内部に配置されている。
【００３２】
上記においては、温水装置２の例として、温水暖房装置を有しないものを例として説明したが、温水装置２は、温水暖房装置を有していてもよい。
【００３３】
循環アダプタ４１は、浴槽４内に設けられている。循環アダプタ４１は、吐出口と吸込口とを有している。
【００３４】
供給された上水は、配管３１ａを介して熱交換器３１ｃに供給される。熱交換器３１ｃに供給された上水は、熱交換器３１ｃにおいて加熱されて湯となる。この湯は、配管３１ｂを介してカラン等へ供給される。
【００３５】
供給された上水は、配管３１ａを介して熱交換器３１ｃに供給される。熱交換器３１ｃに供給された上水は、熱交換器３１ｃにおいて加熱されて湯となる。湯張り動作を行っている際には、注湯弁３３ｂは開状態となっている。そのため、この湯は、配管３３ａ、配管３２ｂ及び循環アダプタ４１の吐出口を介して浴槽４に供給される。
【００３６】
循環ポンプ３２ｅにより、循環アダプタ４１の吸込口から、浴槽４の湯が、図中の矢印の方向に吸い上げられる。この吸い上げられた湯は、配管３２ａを介して熱交換器３２ｃに供給され、昇温される。この昇温された湯水は、配管３２ｂ及び循環アダプタ４１の吐出口を介して、浴槽４に戻される。
【００３７】
取っ手２２は、例えば、グリップ部２２ａと、第１支持部２２ｂと、第２支持部２２ｃとを有している。グリップ部２２ａは、例えば、側板２１ｄから側板２１ｆに向かう方向に沿って延在している。グリップ部２２ａは、側板２１ｃに直交する方向において、側板２１ｃから離間している。
【００３８】
第１支持部２２ｂ及び第２支持部２２ｃは、例えば、側板２１ｃに直交する方向に延在している。第１支持部２２ｂ及び第２支持部２２ｃは、グリップ部２２ａの両端から側板２１ｃに向かって延在している。第１支持部２２ｂ及び第２支持部２２ｃには、貫通孔２２ｄが設けられている。
【００３９】
取っ手２２は、側板２１ｃに取り付けられている。より具体的には、固定部材２３が貫通孔２１ｃａ及び貫通孔２２ｄに通されて側板２１ｃに締結されることにより、取っ手２２は、側板２１ｃに取り付けられている。取っ手２２は、固定部材２３を取り外すことにより、側板２１ｃから取り外すことができる。すなわち、取っ手２２は、着脱可能に側板２１ｃに取り付けられている。
【００４０】
図７に示すように、側面視において（側面１ｃに直交する方向からみて）、固定部材２３は、切欠き１ｃａと重なる位置に配置されている。すなわち、切欠き１ｃａが設けられている位置においては、固定部材２３と側面１ｃとの間に、底梱包部材１が配置されていない空間が存在している。
【００４１】
図１１に示すように、筐体２１は、取り付け台５に載置される。筐体２１は、取っ手２２を側板２１ｃから取り外すことにより、取り付け台５に取り付け可能に構成されていることが好ましい。より具体的には、筐体２１は、取っ手２２を側板２１ｃから取り外すとともに、固定部材２３を取り付け台５に締結することにより、取り付け台５に取り付けられる。すなわち、貫通孔２１ｃａ及び固定部材２３は、取っ手２２の取り付け及び取り付け台５の取り付けのために、共用されていてもよい。
【００４２】
取っ手２２の少なくとも一部は、上面１ａよりも底面１ｂ側に位置している。このことを別の観点からいえば、上面１ａは、取っ手２２の少なくと一部よりも天板２１ａ側に位置している。
【００４３】
底梱包部材１は、温水装置２に取り付けられている。より具体的には、第１凹部１ｇに筐体２１の底板２１ｂ側が挿入されるとともに、第２凹部１ｈに取っ手２２が挿入されることにより、底梱包部材１は、温水装置２に取り付けられている。
【００４４】
底梱包部材１が温水装置２に取り付けられた際、取っ手２２（グリップ部２２ａ）は、平面視において（天板２１ａに直交する方向からみて）、第２凹部１ｈの第１凹部１ｇとは反対側の端から離間している。この際、取っ手２２（グリップ部２２ａ）は、第２凹部１ｈの底壁から離間している。
【００４５】
好ましくは、平面視における取っ手２２と第２凹部１ｈの第１凹部１ｇとは反対側の端との距離は、５ｃｍ以上である。好ましくは、取っ手２２と第２凹部１ｈの底壁との距離は、５ｃｍ以上である。
【００４６】
（実施形態に係る温水装置の梱包構造の効果）
以下に、実施形態に係る梱包構造の効果を説明する。
【００４７】
温水装置２は、底梱包部材１によって梱包された状態で、施工場所の付近まで運搬される。施工場所には、取り付け台５が設置される。温水装置２の取り付けを行う者は、取っ手２２を用いて（グリップ部２２ａを握持することにより）、温水装置２を取り付け台５の上に載置する。
【００４８】
上記のとおり、取っ手２２は、平面視において第２凹部１ｈの第１凹部１ｇとは反対側の端から離間し、かつ、第２凹部１ｈの底壁から離間している。したがって、取っ手２２（グリップ部２２ａ）の周囲には、底梱包部材１（緩衝部材１１）が設けられていない空間が存在しており、温水装置２の取り付けを行う者は、底梱包部材１（緩衝部材１１）に妨げられることなく、取っ手２２（グリップ部２２ａ）の握持を行うことができる。
【００４９】
実施形態に係る温水装置の梱包構造において、底梱包部材１が緩衝部材１１と外装部材１２とにより構成されている場合、底梱包部材１の緩衝効果を高めることができる。
【００５０】
実施形態に係る温水装置の梱包構造において、取っ手２２が筐体２１に予め取り付けられていない場合、温水装置２を取り付け台５の上に運搬する前に、施工現場において固定部材２３をドライバ等の工具を用いて側板２１ｃに締結する必要がある。
【００５１】
第２凹部１ｈが側面１ｃに達するように延在している場合（すなわち、固定部材２３が側面視において切欠き１ｃａと重なるように配置されている場合）には、固定部材２３と側面１ｃとの間に、底梱包部材１が配置されていない空間が存在していることになる。そのため、この場合には、工具を用いた固定部材２３の側板２１ｃへの締結が底梱包部材１に妨げられてしまうことを抑制することができる。
【００５２】
実施形態に係る温水装置の梱包構造において、筐体２１が取っ手２２を取り外すことにより固定部材２３で取り付け台５に取り付け可能となっている場合、取っ手２２を取り付けるための構造と筐体２１を取り付け台５に取り付けるための構造とを共用化することができる。そのため、この場合には、筐体２１を取り付け台５に取り付けるための構造を別途設けることが不要となる。すなわち、この場合には、温水装置２の製造コストを低減することができる。
【００５３】
上記のとおり、筐体２１は、側板２１ｃにおいて取り付け台５に取り付け可能になっており、側板２１ｅにおいて取り付け台５に取り付けられる必要はない。そのため、実施形態に係る温水装置の梱包構造において、側板２１ｅが筐体２１から取り外し可能である場合、筐体２１を取り付け台５から取り外すことなく、筐体２１の内部のメンテナンスを行うことができる。
【００５４】
今回開示された実施形態は全ての点で例示であって、制限的なものではないと考えられるべきである。本発明の範囲は、上記した実施の形態ではなく、特許請求の範囲によって示され、特許請求の範囲と均等の意味、及び範囲内での全ての変更が含まれることが意図される。
【産業上の利用可能性】
【００５５】
上記の実施形態は、温水装置の梱包構造に特に有利に適用される。
【符号の説明】
【００５６】
１  底梱包部材、１ａ  上面、１ｂ  底面、１ｃ，１ｄ，１ｅ，１ｆ  側面、１ｇ  第１凹部、１ｈ  第２凹部、１１  緩衝部材、１２  外装部材、２  温水装置、２１  筐体、２１ａ  天板、２１ｂ  底板、２１ｃ，２１ｄ，２１ｅ，２１ｆ  側板、２１ｃａ  貫通孔、２２  取っ手、２２ａ  グリップ部、２２ｂ  第１支持部、２２ｃ  第２支持部、２２ｄ  貫通孔、２３  固定部材、３１  給湯経路、３１ａ，３１ｂ，３２ａ，３２ｂ，３３ａ  配管、３１ｃ，３２ｃ  熱交換器、３１ｄ，３２ｄ  バーナ、３２  循環経路、３２ｅ  ポンプ、３３  注湯経路、３３ｂ  注湯弁、４  浴槽、４１  循環アダプタ、５  取り付け台、Ｗ１，Ｗ２  幅。
【図１】
2019127305.tif 000003
【図２】
2019127305.tif 000004
【図３】
2019127305.tif 000005
【図４】
2019127305.tif 000006
【図５】
2019127305.tif 000007
【図６】
2019127305.tif 000008
【図７】
2019127305.tif 000009
【図８】
2019127305.tif 000010
【図９】
2019127305.tif 000011
【図１０】
2019127305.tif 000012
【図１１】
2019127305.tif 000013